(57)【特許請求の範囲】
【請求項１】
ワイヤロープを用いて手編み玉掛索を製作する方法において、既知の編み込み方法の手順に沿って、ワイヤロープの端部側に輪状を作ると共にワイヤロープを構成する６組のストランドの先端側をワイヤロープの本線表面に通して抜き出す丸差し作業を所定回数繰り返した後、ワイヤロープの本線表面から外部に抜き出た６組の各ストランドを２つのワイヤ素線の束にそれぞれ分け、２つに分けた一方のワイヤ素線の束を本線表面から所望の長さでそれぞれ切断し、切断後の第１切断ワイヤ素線の束を他方の第１非切断ワイヤ素線の束と共に前記の既知の編み込み方法の手順に沿ってワイヤロープの本線表面に通し、第１切断ワイヤ素線の束の切断端面をワイヤロープの本線内部の心綱の一部を抜いて生じた中空部内に差し込み、第１非切断ワイヤ素線の束のみを同既知の編み込み方法の手順に沿ってワイヤロープの本線表面から抜き出す半差し作業を所定回数繰り返した後、ワイヤロープの本線表面から外部に抜き出た６組の各第１非切断ワイヤ素線の束を１つに結束し、１つに結束した第３非切断ワイヤ素線の束を本線表面から所望の長さで切断し、切断後の第３切断ワイヤ素線の束の切断端面をワイヤロープの本線内部の心綱の一部を抜いて生じた中空部内に差し込むことにより製作されることを特徴とする手編み玉掛索の製作法。
【請求項２】
ワイヤロープを用いて手編み玉掛索を製作する方法において、既知の編み込み方法の手順に沿って、ワイヤロープの端部側に輪状を作ると共にワイヤロープを構成する６組のストランドの先端側をワイヤロープの本線表面に通して抜き出す丸差し作業を所定回数繰り返した後、ワイヤロープの本線表面から外部に抜き出た６組の各ストランドを２つのワイヤ素線の束にそれぞれ分け、２つに分けた一方のワイヤ素線の束を本線表面から所望の長さでそれぞれ切断し、切断後の第１切断ワイヤ素線の束を他方の第１非切断ワイヤ素線の束と共に前記の既知の編み込み方法の手順に沿ってワイヤロープの本線表面に通し、第１切断ワイヤ素線の束の切断端面をワイヤロープの本線内部の心綱の一部を抜いて生じた中空部内に差し込み、第１非切断ワイヤ素線の束のみを同既知の編み込み方法の手順に沿ってワイヤロープの本線表面から抜き出す半差し作業を所定回数繰り返した後、ワイヤロープの本線表面から外部に抜き出た６組の各第１非切断ワイヤ素線の束をそれぞれ２つに分け、２つに分けた一方のワイヤ素線の束を本線表面から所望の長さでそれぞれ切断し、切断後の第４切断ワイヤ素線の束を他方の第４非切断ワイヤ素線の束と共に前記の既知の編み込み方法の手順に沿ってワイヤロープの本線表面に通し、第４切断ワイヤ素線の束の切断端面をワイヤロープの本線内部の心綱の一部を抜いて生じた中空部内に差し込み、第４非切断ワイヤ素線の束のみを同既知の編み込み方法の手順に沿ってワイヤロープの本線表面から抜き出す半差し作業を所望回数繰り返した後、ワイヤロープの本線表面から外部に抜き出た６組の各第４非切断ワイヤ素線の束を１つに結束し、１つに結束した第５非切断ワイヤ素線の束を本線表面から所望の長さで切断し、切断後の第５切断ワイヤ素線の束の切断端面をワイヤロープの本線内部の心綱の一部を抜いて生じた中空部内に差し込むことにより製作されることを特徴とする手編み玉掛索の製作法。
【請求項３】
第１切断ワイヤ素線はストランドの内部の配された内層素線であり、第１非切断ワイヤ素線はストランドの内部の内層素線の外周に配された外層素線である請求項１又は請求項２に記載の手編み玉掛索の製作法。
【請求項４】
請求項１又は請求項２の何れかで製作された手編み玉掛索であることを特徴とする手編み玉掛索。 
【発明の詳細な説明】
【技術分野】
【０００１】
この発明は、ワイヤロープの先端を折り返して輪状にした手編み玉掛索の技術に係り、特に、ワイヤロープの先端を折り返して輪状を作るときにワイヤロープの本線の表面に現れる所謂ひげと呼ばれるワイヤ素線の切断端面が本線表面に現れないようにして、手編み玉掛索の本線の表面に現れる切断端面の所謂ひげによって手が切れたりするのを確実に防いで安全性を高めた手編み玉掛索の製作法及び手編み玉掛索に関するものである。
【背景技術】
【０００２】
従来、手編み玉掛索の製作に使用されるワイヤロープは、心綱とその周囲に６組のストランドを六角状に配しこれを螺旋状により込んで作られている。また各ストランドは内部側を構成する複数のワイヤ素線の内層素線の束と内層素線の外周側に配された複数のワイヤ素線の外層素線の束とから構成されている。
従来、ワイヤロープを用いて手編み玉掛索を製作する場合において、ワイヤロープの先端を折り返して輪状にする所謂アイ加工では、法規で定められた基準を守って、例えばかご差しや巻差しなどと呼ばれる特定の編み込み方法を用いて作られる。
即ち、折り返した先端側をワイヤロープを構成する６組のストランドと心綱とをバラバラに分け、先端部分が折り返される基側となるワイヤロープの本線の６組のストランドによってより込まれている部分の特定の間に、きめられた順序で各ストランドを通し決まった間から抜き出して、ワイヤロープの端部側に輪状を作る。
この後、輪状を作ってワイヤロープの本線表面から抜き出た６組のストランドの先端側を、編み込み方法の種類に決まっている順序で、本線の螺旋状により込まれたストランドの特定の間から通して、別の特定の間から抜き出す作業を最低３回以上繰り返す（これを「丸差し」という）。
３回以上繰り返した後、本線の表面から外部に出ている６組の各ストランドの先端側を外層素線の束と内層素線の束とにそれぞれ分けると共に、本線の表面から外部に出ている６組の各内層素線の束を本線の表面位置で切断する。
また、切断しなかった６組の各外層素線の束を前記の編み込み方法の種類に決まっている順序で、本線の螺旋状により込まれたストランドの特定の間から通して、別の特定の間から抜き出す作業を最低２回以上繰り返す（これを「半差し」という）。その後、本線の表面から外部に出ている６組の各外層素線の束を本線の表面位置で切断する。
なお、各ストランド又は各外層素線の束をどの間から通して他のどの間から抜き出すかのこれらの作業手順は、編み込み方法の種類に決まっている。また、各工程の途中ではワイヤロープの本線表面はハンマで軽く均される。
従来はこのような方法によりワイヤロープを用いて手編み玉掛索が作られている。
【発明の開示】
【発明が解決しようとする課題】
【０００３】
しかしながら、従来の手編み玉掛索は、ワイヤロープの本線表面位置で切断された各内層素線や各外層素線の束が複数の強度のあるワイヤ素線の集まりであり、その切断端面の所謂ひげは鋭利になっていて、ひげに手が直接触ると手の表面を切ったりして非常に危険である。しかも、ひげの箇所は内層素線で６箇所、外層素線も６箇所あり、合計１２箇所のひげの箇所がワイヤロープの本線表面に分散しており、このため、ワイヤロープの本線表面を掴む場合には手袋をはめないと危険であった。
また、従来の手編み玉掛索は、内層素線及び外層素線の束が当所は本線表面位置で切断されているが、ひげの箇所が分散されている本線部分を何回も折り曲げたりするうちに、ひげが本線表面から次第に一部突出し、突出するひげは場合によっては手袋を裂いて手を切ることもあり、非常に危険であった。
さらに、従来の手編み玉掛索を引き抜く場合も、ひげがワイヤロープのより込み方向に対して反対向きになって本線表面からひげが起き上がるようになり、ひげが本線表面から一部突出し、突出するひげは場合によっては手袋を裂いて手を切ることもあり、非常に危険であった。
さらにまた、チョーク吊りの場合、従来の手編み玉掛索１０１は、荷物１０４を巻いたワイヤロープ１０２の手編み部分が曲がり、多くのひげ１０３が出てより危険であった（図１１参照）。また手編みでない従来のロック加工の玉掛索１１１は、ひげの問題が生じない反面、チョーク吊りしワイヤロープ１１２を引き出す場合、ロック加工１１３の部分が荷物１１４に引っ掛かり、ワイヤロープ１１２を引き出しにくかった（図１２（Ａ）参照）。同様に、手編みでない従来のロック加工の玉掛索１１１は、ロック加工１１３の部分が荷物１１４に当たり、荷物１１４を傷付けることが多かった（図１２（Ｂ）参照）。
【０００４】
この発明は、上記のような課題に鑑み、その課題を解決すべく創案されたものであって、その目的とするところは、手編み玉掛索の本線表面に現れる所謂ひげと呼ばれるワイヤ素線の切断端面が本線表面に現れないようにして、手編み玉掛索の本線の表面に現れる切断端面の所謂ひげによって手が切れたりするのを確実に防いで安全性を高めることのできる手編み玉掛索の製作法及び手編み玉掛索を提供することにある。
【課題を解決するための手段】
【０００６】
また、請求項１に係る手編み玉掛索の製作法の発明は、ワイヤロープを用いて手編み玉掛索を製作する方法において、既知の編み込み方法の手順に沿って、ワイヤロープの端部側に輪状を作ると共にワイヤロープを構成する６組のストランドの先端側をワイヤロープの本線表面に通して抜き出す丸差し作業を所定回数繰り返した後、ワイヤロープの本線表面から外部に抜き出た６組の各ストランドを２つのワイヤ素線の束にそれぞれ分け、２つに分けた一方のワイヤ素線の束を本線表面から所望の長さでそれぞれ切断し、切断後の第１切断ワイヤ素線の束を他方の第１非切断ワイヤ素線の束と共に前記の既知の編み込み方法の手順に沿ってワイヤロープの本線表面に通し、第１切断ワイヤ素線の束の切断端面をワイヤロープの本線内部の心綱の一部を抜いて生じた中空部内に差し込み、第１非切断ワイヤ素線の束のみを同既知の編み込み方法の手順に沿ってワイヤロープの本線表面から抜き出す半差し作業を所定回数繰り返した後、ワイヤロープの本線表面から外部に抜き出た６組の各第１非切断ワイヤ素線の束を１つに結束し、１つに結束した第３非切断ワイヤ素線の束を本線表面から所望の長さで切断し、切断後の第３切断ワイヤ素線の束の切断端面をワイヤロープの本線内部の心綱の一部を抜いて生じた中空部内に差し込むことにより製作されるものである。 
【０００７】
また、請求項２に係る手編み玉掛索の製作法の発明は、ワイヤロープを用いて手編み玉掛索を製作する方法において、既知の編み込み方法の手順に沿って、ワイヤロープの端部側に輪状を作ると共にワイヤロープを構成する６組のストランドの先端側をワイヤロープの本線表面に通して抜き出す丸差し作業を所定回数繰り返した後、ワイヤロープの本線表面から外部に抜き出た６組の各ストランドを２つのワイヤ素線の束にそれぞれ分け、２つに分けた一方のワイヤ素線の束を本線表面から所望の長さでそれぞれ切断し、切断後の第１切断ワイヤ素線の束を他方の第１非切断ワイヤ素線の束と共に前記の既知の編み込み方法の手順に沿ってワイヤロープの本線表面に通し、第１切断ワイヤ素線の束の切断端面をワイヤロープの本線内部の心綱の一部を抜いて生じた中空部内に差し込み、第１非切断ワイヤ素線の束のみを同既知の編み込み方法の手順に沿ってワイヤロープの本線表面から抜き出す半差し作業を所定回数繰り返した後、ワイヤロープの本線表面から外部に抜き出た６組の各第１非切断ワイヤ素線の束をそれぞれ２つに分け、２つに分けた一方のワイヤ素線の束を本線表面から所望の長さでそれぞれ切断し、切断後の第４切断ワイヤ素線の束を他方の第４非切断ワイヤ素線の束と共に前記の既知の編み込み方法の手順に沿ってワイヤロープの本線表面に通し、第４切断ワイヤ素線の束の切断端面をワイヤロープの本線内部の心綱の一部を抜いて生じた中空部内に差し込み、第４非切断ワイヤ素線の束のみを同既知の編み込み方法の手順に沿ってワイヤロープの本線表面から抜き出す半差し作業を所望回数繰り返した後、ワイヤロープの本線表面から外部に抜き出た６組の各第４非切断ワイヤ素線の束を１つに結束し、１つに結束した第５非切断ワイヤ素線の束を本線表面から所望の長さで切断し、切断後の第５切断ワイヤ素線の束の切断端面をワイヤロープの本線内部の心綱の一部を抜いて生じた中空部内に差し込むことにより製作されるものである。
【０００９】
また、請求項４に係る手編み玉掛索の発明は、請求項１又は請求項２の何れかで製作された手編み玉掛索よりなるものである。
【発明の効果】
【００１０】
以上の記載より明らかなように、この発明によれば、いずれも、ワイヤロープの本線に編み込んだワイヤ素線の束をワイヤロープの本線表面から所望の長さで切断し、切断後の切断ワイヤ素線の束の切断端面をワイヤロープの本線内部の心綱の一部を抜いて生じた中空部内に差し込むようにしたので、ワイヤ素線の束の切断端面の所謂ひげがワイヤロープの本線表面に現れるのを確実に防ぐことができる。これにより、手袋の装着が不要になると共にワイヤロープの本線表面を素手で直接掴んでも、手が切れることがなく安全であり、手編み玉掛索の取扱いが非常に安全に行うことができる。
しかも、ワイヤ素線の束の切断端面はワイヤロープの本線内部の心綱の一部を抜いて生じた中空部内に差し込まれているので、手編み玉掛索のワイヤロープの本線を曲げても本線表面に所謂ひげが現れることがなく、同様に手編み玉掛索を引き抜く場合も、ひげがワイヤロープのより込み方向に対して反対向きになって本線表面からひげが起き上がるということもない。
また、本願発明の方法により製作された手編み玉掛索は、強度試験の結果からも明らかなように、ワイヤロープの強度は従来の製作方法の場合と同一であり、手編み玉掛索としての強度は十分に確保されていて、安心して使用することができる等、極めて新規的有益なる効果を奏するものである。
【発明を実施するための最良の形態】
【００１１】
以下、図面に記載の発明を実施するための最良の形態に基づいて、この発明をより具体的に説明する。
【００１２】
ワイヤロープを用いて手編み玉掛索を製作する方法においては、既知の編み込み方法、例えば巻差し方法、かご差し方法などを用いる。このうち、巻差し方法はワイヤロープの先端をストランドの単位に解いて、そのストランドをワイヤロープ本線のストランドの間に通して、本線のより方向と同方向に巻いて行く方法である。
かご差し方法はワイヤロープの先端をストランドの単位に解いて、そのストランドをワイヤロープ本線のストランドの間に通して、本線のより方向と反対方向に巻いて行く方法である。
既知の編み込み方法のかご差し方法の手順で、本願発明の手編み玉掛索を製作する方法について、以下説明する。
【００１３】
かご差し方法の手順に沿って、先ずワイヤロープ１１の端部側に輪状１２を作る。
ワイヤロープ１１の先端側を折り返し、折り返した先端側をワイヤロープ１１を構成する６組のストランド１〜６と心綱７とをバラバラに分け、先端部分が折り返される基側となるワイヤロープ１１の本線の６組のストランドＡ〜Ｆによってより込まれている部分の特定の間に、きめられた順序で各ストランド１〜６を通し決まった間から抜き出して、ワイヤロープ１１の端部側に輪状１２を作る。心綱７には例えば麻芯が使用される。
図２に基づいて簡単に説明すると、以下の手順で行われる。
（１）ストランド１をワイヤロープ１１の本線１１ａ側のストランドＡ・Ｆの間から心綱７の左を通してストランドＢ・Ｃの間に抜く。
（２）ストランド２をワイヤロープ１１の本線１１ａ側のストランドＡ・Ｆの間から心綱７の左を通してストランドＣ・Ｄの間に抜く。
（３）ストランド３をワイヤロープ１１の本線１１ａ側のストランドＡ・Ｆの間から心綱７の右を通してストランドＤ・Ｅの間に抜く。
（４）ストランド４をワイヤロープ１１の本線１１ａ側のストランドＡ・Ｆの間から心綱７の右を通してストランドＥ・Ｆの間に抜く。通したストランド４を締め込む。
（５）ストランドＡ・Ｆの間からストランドＢ・Ｃの間にスパイキを差してストランドＡ・Ｆの間に心綱７を入れる。
（６）ストランド５をワイヤロープ１１の本線１１ａ側のストランドＡ・Ｂの間から通してストランドＡ・Ｆの間に抜く。ストランドＡ〜Ｆのよりを戻す。
（７）ストランド６をワイヤロープ１１の本線１１ａ側のストランドＢ・Ｃの間から通してストランドＡ・Ｂの間に抜く。ストランドＡ〜Ｆのよりを戻す。ハンマで軽く均す。
以上の手順でワイヤロープ１１の端部側には輪状１２が作られる。
【００１４】
次に、かご差し方法の手順に沿って、ワイヤロープ１１を構成する６組のストランド１〜６の先端側をワイヤロープ１１の本線１１ａの表面に通して抜き出す丸差し作業を所定回数、例えば３回繰り返して行う。日本国の法規では３回以上が要求されている。
図２に基づいて簡単に説明すると、以下の手順で行われる。
（１回差し）
（８）ストランド１をワイヤロープ１１の本線１１ａ側のストランドＣ・Ｄの間から心綱７の左を通してストランドＥ・Ｆの間に抜く。
（９）ストランド２をワイヤロープ１１の本線１１ａ側のストランドＤ・Ｅの間から通してストランドＡ・Ｆの間に抜く。
（10）ストランド３をワイヤロープ１１の本線１１ａ側のストランドＥ・Ｆの間から通してストランドＡ・Ｂの間に抜く。
（11）ストランド４をワイヤロープ１１の本線１１ａ側のストランドＡ・Ｆの間から通してストランドＢ・Ｃの間に抜く。
（12）ストランド５をワイヤロープ１１の本線１１ａ側のストランドＡ・Ｂの間から通してストランドＣ・Ｄの間に抜く。ストランドＡ〜Ｆのよりを戻す。
（13）ストランド６をワイヤロープ１１の本線１１ａ側のストランドＢ・Ｃの間から通してストランドＤ・Ｅの間に抜く。ハンマで軽く均す。
以上で１回差しが終了し、この作業を後２回続ける。
合計３回繰り返すことにより、丸差しは終わり、心綱７を切断する。
【００１５】
続いて、本願発明の特徴のある手順に入る。
ワイヤロープ１１の本線１１ａの表面から外部に抜き出た６組の各ストランド１〜６を２つのワイヤ素線１ａ〜６ａ、１ｂ〜６ｂの束、例えば内層素線１ａ〜６ａの束と、外層素線１ｂ〜６ｂの束とに２分する。
２つに分けた一方のワイヤ素線の束例えば内層素線１ａ〜６ａの束を本線１１ａの表面から所望の長さでそれぞれ切断する。所望の長さとは本線１１ａの内部の心綱７の一部を抜いて生じた中空部１１ｂ内に十分に差し込むことができる長さである。
切断後の第１切断ワイヤ素線１ａ〜６ａの束を他方の第１非切断ワイヤ素線１ｂ〜６ｂの束つまり外層素線１ｂ〜６ｂの束と共に、前記のかご差し方法の手順（８）〜（13）に沿って、ワイヤロープ１１の本線１１ａの表面に通す。
このとき、第１切断ワイヤ素線１ａ〜６ａの束は、その切断端面１６Ｘをワイヤロープ１１の本線１１ａの内部の心綱７の一部を抜いて生じた中空部１１ｂ内に差し込む。
そして、第１非切断ワイヤ素線１ｂ〜６ｂの束のみを前記のかご差し方法の手順（８）〜（13）に沿って、ワイヤロープ１１の本線１１ａの表面から抜き出す半差し作業を所定回数、例えば２回繰り返す。前記の丸差し作業が３回の場合には日本国の法規では半差し作業は２回以上が要求されている。このとき、前記の丸差し作業が４回の場合には日本国の法規では半差し作業は１回以上が要求されるため、１回でよいことになる。
【００１６】
第１非切断ワイヤ素線１ｂ〜６ｂの束のみを半差し２回作業を行った後、ワイヤロープ１１の本線１１ａの表面から外部に抜き出た６組の各第１非切断ワイヤ素線１ｂ〜６ｂの束を１つに結束し、１つに結束した第３非切断ワイヤ素線１６ｃの束を本線１１ａの表面から所望の長さで切断する。所望の長さとは本線１１ａの内部の心綱７の一部を抜いて生じた中空部１１ｂ内に十分に差し込むことができる長さである。切断後の第３切断ワイヤ素線１６ｃの束の切断端面１６Ｘをワイヤロープ１１の本線１１ａ内部の心綱７の一部を抜いて生じた中空部１１ｂ内に差し込むことにより製作される。なお、請求項１記載の第２切断ワイヤ素線は切断後の第３切断ワイヤ素線１６ｃに該当する。
【００１７】
また、前記の〔００１３〕〜〔００１５〕までは同一の手順で、最後の〔００１６〕の手順だけを代えた別の手順による手編み玉掛索の製作法もある。
即ち、第１非切断ワイヤ素線１ｂ〜６ｂの束のみを半差し２回作業を行った後、ワイヤロープ１１の本線表面から外部に抜き出た６組の各第１非切断ワイヤ素線１ｂ〜６ｂの束をそれぞれ２つのワイヤ素線１ｄ〜６ｄの束とワイヤ素線１ｅ〜６ｅの束とに分け、２つに分けた一方のワイヤ素線１ｄ〜６ｄの束を本線表面から所望の長さでそれぞれ切断する。所望の長さとは本線１１ａの内部の心綱７の一部を抜いて生じた中空部１１ｂ内に十分に差し込むことができる長さである。
切断後の第４切断ワイヤ素線１ｄ〜６ｄの束を他方の第４非切断ワイヤ素線１ｅ〜６ｅの束と共に、前記のかご差し方法の手順（８）〜（13）に沿って、ワイヤロープ１１の本線１１ａの表面に通す。
このとき、第４切断ワイヤ素線１ｄ〜６ｄの束は、その切断端面１６Ｘをワイヤロープ１１の本線１１ａの内部の心綱７の一部を抜いて生じた中空部１１ｂ内に差し込む。
そして、第４非切断ワイヤ素線１ｅ〜６ｅの束のみを前記のかご差し方法の手順（８）〜（13）に沿って、再度、ワイヤロープ１１の本線１１ａの表面から抜き出す半差し作業を所望回数、例えば１〜２回繰り返す。
その後、ワイヤロープ１１の本線１１ａの表面から外部に抜き出た６組の各第４非切断ワイヤ素線１ｅ〜６ｅの束を１つに結束し、１つに結束した第５非切断ワイヤ素線１６ｆの束を本線１１ａの表面から所望の長さで切断する。所望の長さとは本線１１ａの内部の心綱７の一部を抜いて生じた中空部１１ｂ内に十分に差し込むことができる長さである。切断後の第５切断ワイヤ素線１６ｆの束の切断端面１６Ｘをワイヤロープ１１の本線１１ａ内部の心綱７の一部を抜いて生じた中空部１１ｂ内に差し込むことにより製作される。なお、請求項１記載の第２切断ワイヤ素線は切断後の第５切断ワイヤ素線１６ｆに該当する。
【００１８】
従来製品と本願発明製品との引張強度比較試験。
試験は長崎県工業技術センターに依頼した。
【表１】
0004313330.tif 000002
【００１９】
なお、この発明は上記発明を実施するための最良の形態に限定されるものではなく、この発明の精神を逸脱しない範囲で種々の改変をなし得ることは勿論である。前記の発明を実施するための最良の形態においては、既知の編み込み方法としてかご差し方法の手順に沿って説明したがこれに限定されるものではなく、例えば巻差し方法、などを用いてもよい。
【図面の簡単な説明】
【００２０】
【図１】ワイヤロープの先端側を折り返して輪状を作る説明図である。
【図２】ストランドをワイヤロープの本線に通し及び抜き出す経路説明図である。
【図３】この発明を実施するための最良の形態を示す第１切断ワイヤ素線と第１非切断ワイヤ素線が出ている状態の正面図である。
【図４】この発明を実施するための最良の形態を示す６組の各第１非切断ワイヤ素線の束を１つに結束している状態の正面図である。
【図５】この発明を実施するための最良の形態を示す手編み玉掛索の端部側の正面図である。
【図６】この発明を実施するための最良の形態を示す他の製作方法の第１切断ワイヤ素線と第１非切断ワイヤ素線が出ている状態の正面図である。
【図７】この発明を実施するための最良の形態を示す他の製作方法の第４切断ワイヤ素線と第４非切断ワイヤ素線が出ている状態の正面図である。
【図８】この発明を実施するための最良の形態を示す他の製作方法の６組の各第５非切断ワイヤ素線の束を１つに結束している状態の正面図である。
【図９】この発明を実施するための最良の形態を示す他の製作方法による手編み玉掛索の端部側の正面図である。
【図１０】この発明を実施するための最良の形態を示す手編み玉掛索の編み込み部分の部分断面図である。
【図１１】従来の手編み玉掛索の説明図である。
【図１２】（Ａ）（Ｂ）は手編みでない従来のロック加工の玉掛索の説明図である。
【符号の説明】
【００２１】
１〜６    ストランド
１ａ〜６ａ  第１切断ワイヤ素線
１ｂ〜６ｂ  第１非切断ワイヤ素線
１６ｃ  第３切断ワイヤ素線、第３非切断ワイヤ素線
１ｄ〜６ｄ  第４切断ワイヤ素線
１ｅ〜６ｅ  第４非切断ワイヤ素線
１６ｆ  第５切断ワイヤ素線、第５非切断ワイヤ素線
１６Ｘ  切断端面
Ａ〜Ｂ  ストランド
７    心綱
１１    ワイヤロープ
１１ａ  本線
１１ｂ  中空部
１２    輪状
【図１】
0004313330.tif 000003
【図２】
0004313330.tif 000004
【図３】
0004313330.tif 000005
【図４】
0004313330.tif 000006
【図５】
0004313330.tif 000007
【図６】
0004313330.tif 000008
【図７】
0004313330.tif 000009
【図８】
0004313330.tif 000010
【図９】
0004313330.tif 000011
【図１０】
0004313330.tif 000012
【図１１】
0004313330.tif 000013
【図１２】
0004313330.tif 000014